(57)【要約】【課題】  梱包箱の外部から加わる衝撃を確実に抑制できる梱包構造を提供する。【解決手段】  製品Ｍを梱包箱Ｃに梱包するための梱包構造１０であって、互いに平行に配置された複数の第１の仕切り板１１と、複数の第１の仕切り板１１に対して垂直に組み合わされた複数の第２の仕切り板１２とを備え、複数の第１の仕切り板１１のうち隣り合う２つの仕切り板と複数の第２の仕切り板１２のうち隣り合う２つの仕切り板とによって、四角筒形状を有する区画部がそれぞれ形成され、これら区画部のうち一部が製品Ｍを収容されるための収容部１３であり、且つ、他の区画部が収容部１３の周囲に位置するとともに梱包箱Ｃの外部から収容部１３に衝撃が加わることを抑制するための緩衝部１４である。【選択図】  図１
2005313969.tif 000002
【特許請求の範囲】
【請求項１】
製品を梱包箱に梱包するための梱包構造であって、
互いに平行に配置された複数の第１の仕切り板と、前記複数の第１の仕切り板に対して垂直に組み合わされた複数の第２の仕切り板とを備え、前記複数の第１の仕切り板のうち隣り合う２つの仕切り板と前記複数の第２の仕切り板のうち隣り合う２つの仕切り板とによって、四角筒形状を有する区画部がそれぞれ形成され、これら区画部のうち一部が前記製品を収容されるための収容部であり、且つ、他の区画部が前記収容部の周囲に位置するとともに前記梱包箱の外部から前記収容部に衝撃が加わることを抑制するための緩衝部であることを特徴とする梱包構造。
【請求項２】
前記緩衝部が前記収容部と比較して小さくなるように形成されていることを特徴とする請求項１に記載の梱包構造。
【発明の詳細な説明】
【技術分野】
【０００１】
本発明は、梱包箱に梱包された製品に、該梱包箱の外部から衝撃が加わることを抑制できる梱包構造に関する。
【背景技術】
【０００２】
一般に、製品は、流通させる際に、振動，落下，圧縮等に起因する負荷がかからないようにするため、段ボール等の梱包箱に収容した状態で取り扱われる。
【０００３】
従来、流通過程で、梱包箱に収容された製品同士が干渉すること、及び、梱包箱の外部から落下時などの衝撃による負荷が製品にかかることを防止するため、梱包箱の内部に段ボール製の仕切り板を配置し、該仕切り板に区画された空間に製品を保持させることで、製品同士の位置を規制する構成が知られている（例えば、特許文献１参照）。
【０００４】
また、従来、図４及び図５に示すように、製品に外部から衝撃がかかりにくくした緩衝性能を有する梱包構造が知られている。図４は、従来の梱包構造を示す平面図である。図５は、図４の梱包構造を示す斜視図である。従来の梱包箱１００は、箱本体５の内部に、互いに平行に配置された仕切り板１と、これら仕切り板１に対して垂直で、且つ、互いに平行に配置された仕切り板２とを備えている。仕切り板１と仕切り板２とが互いに格子状に組み合わされ、これら仕切り板１及び仕切り板２によって区画された空間３に製品６が収容保持されている。また、仕切り板１と仕切り板２とを組み合せた状態で、各仕切り板１，２における両端部には、箱本体５と空間３との間に隙間ができるように、突出部が設けられ、落下などによって外部から衝撃が加わった場合に、空間３に収容保持された製品６に直接衝撃が加わることを防止している。
【０００５】
【特許文献１】特開平１１−１１４６１号公報
【発明の開示】
【発明が解決しようとする課題】
【０００６】
しかし、図４及び図５に示す構造では、梱包箱の外部からかかる衝撃を抑制するには不十分であり、衝撃の大きさによっては底着きが生じて製品が損傷するおそれがあった。
【０００７】
本発明は、上記事情に鑑みてなされたもので、その目的は、梱包箱の外部から加わる衝撃を確実に抑制できる梱包構造を提供することにある。
【課題を解決するための手段】
【０００８】
本発明の上記目的は、製品を梱包箱に梱包するための梱包構造であって、互いに平行に配置された複数の第１の仕切り板と、複数の第１の仕切り板に対して垂直に組み合わされた複数の第２の仕切り板とを備え、複数の第１の仕切り板のうち隣り合う２つの仕切り板と複数の第２の仕切り板のうち隣り合う２つの仕切り板とによって、四角筒形状を有する区画部がそれぞれ形成され、これら区画部のうち一部が製品を収容されるための収容部であり、且つ、他の区画部が収容部の周囲に位置するとともに梱包箱の外部から収容部に衝撃が加わることを抑制するための緩衝部であることを特徴とする梱包構造によって達成される。
【０００９】
上記の梱包構造によれば、梱包箱内に複数の区画部が形成され、これら区画部のうち一部を製品を収容する収容部とし、他の区画部を梱包箱の外部から収容部に衝撃が加わることを抑制するための緩衝部としている。このため、梱包箱に落下などによる衝撃が加わった際に、衝撃が緩衝部によって抑制され、収容部に収容された製品に衝撃が加わることを抑制することができる。
【００１０】
上記梱包構造は、緩衝部が収容部と比較して小さくなるように形成されていることが好ましい。こうすれば、作業者が製品を梱包箱に梱包する際に、誤って緩衝部に製品を収容してしまうことを防止でき、使い勝手が良い。
【発明の効果】
【００１１】
本発明によれば、梱包箱の外部から加わる衝撃を確実に抑制できる梱包構造を提供できる。
【発明を実施するための最良の形態】
【００１２】
以下、本発明の実施形態を図面に基づいて詳しく説明する。図１は、本発明に係る梱包構造を説明する平面図である。図２は、図１に示す梱包構造の斜視図である。図３は、仕切り板同士を組み合せる状態を説明する図である。
本発明に係る梱包構造１０には、図中破線で示す梱包箱Ｃと、長方形状を有し、長手方向の寸法が異なる２種類の仕切り板１１，１２とが備えられている。仕切り板１１，１２の材質としては、段ボールなどである。
【００１３】
図１に示すように、本実施形態では、梱包箱Ｃには、縦方向（図中、上下方向）に対して平行に並べられた複数の第１の仕切り板１１と，横方向（図中、左右方向）に対して平行に並べられた複数の第２の仕切り板１２とが設けられている。梱包箱Ｃの内部において、第１の仕切り板１１と第２の仕切り板１２とが互いに垂直に組み合わされている。
【００１４】
仕切り板１１，１２の寸法は、梱包箱Ｃの内部に収まるように設定される。本実施形態において、梱包箱Ｃが長方体形状を有し、第２の仕切り板１２の長手方向の寸法が、第１の仕切り板１１の長手方向の寸法に比べて長くなるように構成したが、これに限らない。例えば、梱包箱の形状にあわせて、第１の仕切り板１１の長手方向の寸法が、第２の仕切り板１２の長手方向の寸法に比べて長くなるように構成してもよい。また、梱包箱が略正方体形状を有する場合には、第１の仕切り板１１と第２の仕切り板１２の長手方向の寸法を等しく構成してもよい。
【００１５】
本実施系形態において、第１の仕切り板１１として、８個の仕切り板１１１，１１２，１１３，１１４，１１５，１１６，１１７，１１８を互いに平行に並べ、第２の仕切り板１２として、５個の仕切り板１２１，１２２，１２３，１２４，１２５を互いに平行に並べている。
【００１６】
第１の仕切り板１１と第２の仕切り板１２とを長手方向に対して垂直に組み合せることで、４角筒形状を有する複数の区画部が形成されている。具体的には、第２の仕切り板１２のうち仕切り板１２２，１２３，１２４と第１の仕切り板１１のうち１１２，１１３，１１４，１１５，１１６，１１７によって１０個の収容部１３が形成されている。
【００１７】
図１及び図２に示すように、区画部１３には、梱包の対象となる製品（例えば、記録メディア）Ｍが収容される。また、それぞれの区画部１３が製品Ｍの外形の寸法よりわずかに大きい寸法となるように、第１の仕切り板１１及び第２の仕切り板１２を配置している。なお、図１において、製品Ｍを一点鎖線で示している。
【００１８】
本実施形態の梱包構造１０において、区画部の一部を上記収容部１３とするとともに、他の区画部を、製品Ｍを収容させない緩衝部１４とする。具体的には、第２の仕切り板１２のうちの仕切り板１２１，１２２と第１の仕切り板１１とによって区画された区画部、第２の仕切り板１２のうちの仕切り板１２４，１２５と第１の仕切り板１１とによって区画された区画部、仕切り板１２２，１２３，１２４と仕切り板１１１，１１２とによって区画された区画部、及び、仕切り板１２２，１２３，１２４と仕切り板１１７，１１８とによって区画された区画部を緩衝部１４としている。
【００１９】
図１に示すように、緩衝部１４は、収容部１３の周囲（つまり、収容部１３より梱包箱Ｃの内面側）に位置する区画部であって、梱包箱の外部から衝撃が加わった際に、収容部１３に収容された製品Ｍに衝撃が加わることを抑制する機能を有する。
【００２０】
緩衝部１４は、収容部１３と比較して小さくなるように形成されている。このため、作業者が製品を梱包箱に梱包する際に、誤って緩衝部に製品を収容してしまうことを防止でき、使い勝手が良い。
【００２１】
次に、図３を参照して、第１の仕切り板と第２の仕切り板とを組み合せるための構造の一例を説明する。第１の仕切り板（図３においては、仕切り板１１１とする。）１１には、長手方向に対して垂直に端部から切り込まれたスリット１１１ａ，１１１ｂ，１１１ｃ，１１１ｄ，１１１ｅが設けられている。ここで、第１の仕切り板に形成されるこれらスリットの数は、第２の仕切り板１２の数に等しく、本実施形態においては５個である。また、第２の仕切り板１２には、長手方向に対して垂直に端部から切り込まれ、それぞれ第１の仕切り板の数に等しい数のスリットが設けられている。図３に示すように、仕切り板１２１，１２２，１２３，１２４，１２５のスリット１２１ａ，１２２ａ，１２３ａ，１２４ａ，１２５ａに仕切り板１１１のスリット１１１ａ，１１１ｂ，１１１ｃ，１１１ｄ，１１１ｅが嵌め込まれる。このように、第１の仕切り板１１と第２の仕切り板１２とのスリット同士を嵌め込むことで、第１の仕切り板１１と第２の仕切り板１２とが垂直に組み合わされる。
【００２２】
収容部１３及び緩衝部１４のそれぞれの寸法は、第１の仕切り板１１及び第２の仕切り板１２にそれぞれ形成されるスリット同士の長手方向の間隔を変えることで適宜に設定することができる。
【００２３】
本実施形態の梱包構造１０によれば、梱包箱Ｃ内に複数の区画部が形成され、これら区画部のうち一部を製品を収容する収容部１３とし、他の区画部を梱包箱Ｃの外部から収容部１３に衝撃が加わることを抑制するための緩衝部１４としている。このため、梱包箱Ｃに落下などによる衝撃が加わった際に、衝撃が緩衝部１４によって抑制され、収容部１３に収容された製品Ｍに衝撃が加わることを抑制することができる。また、落下の際の衝撃によって底着きが生じて製品が損傷することをより確実に防止することができる。
【図面の簡単な説明】
【００２４】
【図１】本発明に係る梱包構造を説明する平面図である。
【図２】図１に示す梱包構造の斜視図である。
【図３】仕切り板同士を組み合せる状態を説明する図である。
【図４】従来の梱包構造を示す平面図である。
【図５】図４の梱包構造を示す斜視図である。
【符号の説明】
【００２５】
１０    梱包構造
１１    第１の仕切り板
１２    第２の仕切り板
１３    収容部
１４    緩衝部
Ｃ      梱包箱
Ｍ      製品
【図１】
2005313969.tif 000003
【図２】
2005313969.tif 000004
【図３】
2005313969.tif 000005
【図４】
2005313969.tif 000006
【図５】
2005313969.tif 000007